(57)【要約】  データ送信／受信装置、方法及び通信システムが提供される。データ送信方法は、非アクティブ状態でネットワーク装置の指示情報又はネットワーク装置設定のパラメータに基づいて非アクティブ状態を維持するか、それとも、アクティブ状態に入るかを確定し；及び、非アクティブ状態でネットワーク装置に、データ及び／又はアクティブ状態に入るためのリクエストメッセージを送信する。これにより、データ伝送を適切な状態下で完成することができ、データを送信する度に再び接続を開始する必要がなく、節約されたネットワークリソースをデータ伝送のために用いることができるとともに、同じデータ伝送の完成に必要な時間を短縮することもできる。
2019536358.tif 000002
【特許請求の範囲】
【請求項１】
データ送信装置であって、
非アクティブ状態で、ネットワーク装置の指示情報又は前記ネットワーク装置により設定されるパラメータに基づいて、前記非アクティブ状態を維持するか、それとも、アクティブ状態に入るかを確定するための確定ユニット；及び
前記非アクティブ状態で、前記ネットワーク装置に、データ及び／又は前記アクティブ状態に入るためのリクエストメッセージを送信するための送信ユニットを含む、データ送信装置。
【請求項２】
請求項1に記載のデータ送信装置であって、
前記送信ユニットは、さらに、前記確定ユニットにより、前記非アクティブ状態を維持するか、それとも、前記アクティブ状態に入るかが確定される前に、前記データを送信する必要がある場合、前記非アクティブ状態で前記ネットワーク装置に前記データ及び前記アクティブ状態に入るためのリクエストメッセージを送信する、データ送信装置。
【請求項３】
請求項2に記載のデータ送信装置であって、
前記ネットワーク装置が前記リクエストメッセージに基づいて送信した前記指示情報を受信するための情報受信ユニットをさらに含み、
前記指示情報は、無線リソース制御拒否メッセージ、無線リソース制御接続再設定メッセージ、新しく定義されるメッセージ、及び媒体アクセス制御層の制御エレメントのうちの1つ又は複数によりキャリーされる、データ送信装置。
【請求項４】
請求項3に記載のデータ送信装置であって、
前記確定ユニットは、さらに、前記指示情報に基づいて、前記非アクティブ状態を維持することを確定し、前記送信ユニットは、さらに、前記非アクティブ状態で前記ネットワーク装置に前記データを送信する、データ送信装置。
【請求項５】
請求項4に記載のデータ送信装置であって、
前記送信ユニットは、予め設定される時間及び／又は回数内で前記ネットワーク装置に前記データを送信し、前記アクティブ状態に入るためのリクエストメッセージを送信せず；及び
予め設定される前記時間及び／又は前記回数を超えた場合、前記非アクティブ状態で前記ネットワーク装置に前記データ及び前記アクティブ状態に入るためのリクエストメッセージを送信する、データ送信装置。
【請求項６】
請求項5に記載のデータ送信装置であって、
予め設定される前記時間及び／又は前記回数は、前記ネットワーク装置により設定され、或いは、プロトコル又は規格中で予め規定される、データ送信装置。
【請求項７】
請求項1に記載のデータ送信装置であって、
前記送信ユニットは、さらに、前記確定ユニットにより、前記非アクティブ状態を維持するか、それとも、前記アクティブ状態に入るかが確定される前に、前記データを送信する必要がある場合、前記非アクティブ状態で前記ネットワーク装置に前記データを送信する、データ送信装置。
【請求項８】
請求項7に記載のデータ送信装置であって、
前記データ送信装置は、
前記ネットワーク装置がユーザ装置により提供される情報及び／又はネットワークシステムのリソースに基づいて送信した前記指示情報を受信するための情報受信ユニットをさらに含み、
前記指示情報は、無線リソース制御接続確立メッセージ、無線リソース制御接続再開メッセージ、無線リソース制御接続再設定メッセージ、新しく定義されるメッセージ、及び媒体アクセス制御層の制御エレメントのうちの１つ又は複数によりキャリーされる、データ送信装置。
【請求項９】
請求項8に記載のデータ送信装置であって、
前記確定ユニットは、さらに、前記指示情報に基づいて、前記アクティブ状態に入ることを確定し、前記送信ユニットは、さらに、前記アクティブ状態に入ると確定された場合、前記非アクティブ状態で前記ネットワーク装置に前記データ及び前記アクティブ状態に入るためのリクエストメッセージを送信する、データ送信装置。
【請求項１０】
請求項7に記載のデータ送信装置であって、
前記ネットワーク装置により設定されるパラメータを受信するためのパラメータ受信ユニットをさらに含み、
前記ネットワーク装置により設定されるパラメータは、使用可能なデータ量の閾値、データ伝送間隔時間の閾値、連続したデータパケット間の最小時間間隔、及びデータパケットの個数のうちの1つ又は複数を含む、データ送信装置。
【請求項１１】
請求項10に記載のデータ送信装置であって、
前記確定ユニットは、さらに、前記ネットワーク装置により設定されるパラメータに基づいて、所定の条件が満足されるかを確定し、前記所定の条件が満足された場合、前記アクティブ状態に入る必要があると確定し、
前記送信ユニットは、さらに、前記アクティブ状態に入ると確定された場合、前記非アクティブ状態で前記ネットワーク装置に前記データ及び前記アクティブ状態に入るためのリクエストメッセージを送信する、データ送信装置。
【請求項１２】
請求項1に記載のデータ送信装置であって、
前記送信ユニットは、さらに、前記非アクティブ状態で前記ネットワーク装置に、前記データの総量又は剰余量を指示するためのデータ量情報を送信する、データ送信装置。
【請求項１３】
データ受信装置であって、
ユーザ装置に指示情報を送信し、又は、ユーザ装置のためにパラメータを設定し、前記ユーザ装置に、前記指示情報又は前記パラメータに基づいて、非アクティブ状態を維持するか、それとも、アクティブ状態に入るかを確定させるための設定ユニット；及び
前記ユーザ装置により前記非アクティブ状態で送信されたデータ及び／又は前記アクティブ状態に入るためのリクエストメッセージを受信するための受信ユニットを含む、データ受信装置。
【請求項１４】
請求項13に記載のデータ受信装置であって、
前記設定ユニットは、さらに、前記リクエストメッセージに基づいて前記指示情報を送信し、
前記指示情報は、無線リソース制御拒否メッセージ、无線リソース制御接続再設定メッセージ、新しく定義されるメッセージ、及び媒体アクセス制御層の制御エレメントのうちの１つ又は複数によりキャリーされる、データ受信装置。
【請求項１５】
請求項14に記載のデータ受信装置であって、
前記指示情報は、前記無線リソース制御拒否メッセージ又は無線リソース制御接続再設定メッセージ中で新しく追加される情報エレメントに含まれ、
前記指示情報は、さらに、前記非アクティブ状態を維持する、又は、アクティブ状態に入るための補助情報を含む、データ受信装置。
【請求項１６】
請求項14に記載のデータ受信装置であって、
前記受信ユニットは、さらに、前記指示情報により、前記ユーザ装置が前記非アクティブ状態を維持すると指示される場合、前記ユーザ装置により前記非アクティブ状態で送信された前記データを受信する、データ受信装置。
【請求項１７】
請求項16に記載のデータ受信装置であって、
前記設定ユニットは、さらに、予め前記ユーザ装置のために時間及び／又は回数を設定し、前記ユーザ装置に、前記時間及び／又は前記回数内で前記データを送信させ、前記時間及び／又は前記回数を超えた場合、前記データ及び前記アクティブ状態に入るためのリクエストメッセージを送信させる、データ受信装置。
【請求項１８】
請求項13に記載のデータ受信装置であって、
前記設定ユニットは、前記ユーザ装置により提供される情報及び／又はネットワークシステムのリソースに基づいて前記指示情報を送信し、
前記指示情報は、無線リソース制御接続確立メッセージ、無線リソース制御接続再開メッセージ、無線リソース制御接続再設定メッセージ、新しく定義されるメッセージ、及び媒体アクセス制御層の制御エレメントのうちの１つ又は複数によりキャリーされる、データ受信装置。
【請求項１９】
請求項13に記載のデータ受信装置であって、
前記パラメータは、使用可能なデータ量の閾値、データ伝送間隔時間の閾値、連続したデータパケット間の最小時間間隔、及びデータパケットの個数のうちの１つ又は複数を含む、データ受信装置。
【請求項２０】
通信システムであって、
請求項1に記載のデータ送信装置を含むユーザ装置；及び
請求項13に記載のデータ受信装置を含むネットワーク装置を含む、通信システム。
【発明の詳細な説明】
【技術分野】
【０００１】
本発明の実施例は、通信技術分野に関し、特に、データ送信／受信装置、方法及び通信システムに関する。
【背景技術】
【０００２】
LTE（Long  Term  Evolution）システム又はLTE-A（LTE  Advanced）システムでは、ユーザ装置（UE、User  Equipment）がアイドル（Idle）状態又はアクティブ（active）状態（接続（Connected）状態又は全接続状態とも言う）にあり得る。
【０００３】
そのうち、クティブ状態にあるユーザ装置は、随時にデータ伝送を行うことができるが、アイドル状態にあるユーザ装置は、データ伝送のニーズがあるときに、まず接続（例えば、無線リソース制御（RRC、Radio  Resource  Control）接続）を確立する必要があり、その後、データ伝送を行うことができ、例えば、ユーザ装置は、RRCアクティブ状態（RRC_ACTIVEで表される）に進入する。
【０００４】
新無線（NR、New  Radio）システム又は第5世代（5G）システムでは、無線アクセスネットワーク（RAN、Radio  Access  Network）の非アクティブ（inactive）状態が導入されており、例えば、ユーザ装置は、RRC非アクティブ状態（RRC_INACTIVEで表される）に進入する。
【０００５】
RRC非アクティブ状態は、低活動性に用いることができ、少なくともNR中のコントロールプレーンのディレイのニーズを満足すべきであり、LTE中のアイドル状態のエネルギー消費に相当するエネルギー消費を実現する必要がある。RRC非アクティブ状態にあるユーザ装置は、RANとコアネットワークとの間の接続を維持すべきであり（コントロールプレーン及びユーザプレーンを含む）、RANにより開始される通知プロシージャを用いてユーザ装置の下りリンクの到達可能性を実現する。また、ユーザ装置は、１つの“RAN-based通知領域”からもう１つの領域に移動するときに、RANに通知すべきである。
【０００６】
なお、上述の背景技術についての紹介は、本発明の技術案を明確且つ完全に説明し、また、当業者がそれを理解しやすいためのものである。これらの技術案は、本発明の背景技術の一部に記述されているため、当業者にとって周知であると解釈すべきではない。
【発明の概要】
【発明が解決しようとする課題】
【０００７】
RRC非アクティブ状態下でこのようなメカニズムが存在することにより、ユーザ装置は、まず、接続状態（RRC接続状態（RRC_connected  state）とも言い、例えば、RRCアクティブ状態）に入り、そして、該状態下でデータ伝送を行う。また、RAN2では、次のようなことが研究され、即ち、ユーザ装置が、RRC非アクティブ状態からRRCアクティブ状態に入る状態遷移プロシージャを要せず、直接、RRC非アクティブ状態下でデータ伝送を行い、また、RAN2では、次のような2種類の方法について更なる評価を行い、即ち、状態をRRCアクティブ状態に変えるための初期RRCメッセージと一緒にデータ伝送を行い、又は、RRCメッセージと関係なく、RRC非アクティブ状態下でデータ伝送を行う。
【０００８】
例えば、RRC非アクティブ状態下の上りリンクデータ伝送に関し、以下のように2種類の選択可能な方法があり、即ち、
方法1：ユーザ装置は、まず、RRCアクティブ状態（即ち、全接続）に入り、その後、上りリンクデータを送信し；
方法2：ユーザ装置は、RRC非アクティブ状態下で上りリンクデータを送信し、RRC非アクティブ状態からRRCアクティブ状態への状態遷移がない。
【０００９】
しかし、発明者は、次のようなことを発見した。即ち、従来のスキームでは、ユーザ装置は、データがRRC非アクティブ状態下で送信されるか、それとも、RRCアクティブ状態に入ってから送信されるかを確定することが困難であるため、データ伝送を適切な状態下で完成することができない。
【００１０】
本発明の実施例は、データ送信／受信装置、方法及び通信システムを提供する。ユーザ装置は、データがRRC非アクティブ状態下で送信されるか、それとも、RRCアクティブ状態に入ってから送信されるかを確定することができるから、データ伝送を適切な状態で完成することができる。
【課題を解決するための手段】
【００１１】
本発明の実施例の第一側面によれば、データ送信方法が提供され、それは、
非アクティブ状態下で、ネットワーク装置の指示情報又は前記ネットワーク装置設定のパラメータに基づいて、前記非アクティブ状態を維持するか、それとも、アクティブ状態に入るかを確定し；及び
前記非アクティブ状態下で、前記ネットワーク装置に、データ及び／又は前記アクティブ状態に入るためのリクエストメッセージを送信することを含む。
【００１２】
本発明の実施例の第二側面によれば、データ送信装置が提供され、それは、
確定ユニットであって、非アクティブ状態下で、ネットワーク装置の指示情報又は前記ネットワーク装置設定のパラメータに基づいて、前記非アクティブ状態を維持するか、それとも、アクティブ状態に入るかを確定するもの；及び
送信ユニットであって、前記非アクティブ状態下で、前記ネットワーク装置に、データ及び／又は前記アクティブ状態に入るためのリクエストメッセージを送信するものを含む。
【００１３】
本発明の実施例の第三側面によれば、データ受信方法が提供され、それは、
ユーザ装置に指示情報を送信し、又は、ユーザ装置のためにパラメータを設定し、前記ユーザ装置に、前記指示情報又は前記パラメータに基づいて、非アクティブ状態を維持するか、それとも、アクティブ状態に入るかを確定させ；及び
前記ユーザ装置により前記非アクティブ状態下で送信されるデータ及び／又は前記アクティブ状態に入るためのリクエストメッセージを受信することを含む。
【００１４】
本発明の実施例の第四側面によれば、データ受信装置が提供され、それは、
設定ユニットであって、ユーザ装置に指示情報を送信し、又は、ユーザ装置のためにパラメータを設定し、前記ユーザ装置に、前記指示情報又は前記パラメータに基づいて、非アクティブ状態を維持するか、それとも、アクティブ状態に入るかを確定させるもの；及び
受信ユニットであって、前記ユーザ装置により前記非アクティブ状態下で送信されるデータ及び／又は前記アクティブ状態に入るためのリクエストメッセージを受信するものを含む。
【００１５】
本発明の実施例の第五側面によれば、通信システムが提供され、それは、
ユーザ装置であって、上記の第二側面に記載のデータ送信装置を含むもの；及び
ネットワーク装置であって、上記の第四側面に記載のデータ受信装置を含むものを含む。
【００１６】
本発明の実施例の有益な効果は、次の通りであり、即ち、ユーザ装置が、非アクティブ状態下で、ネットワーク装置の指示又はネットワーク装置設定のパラメータに基づいて、非アクティブ状態を維持するか、それとも、アクティブ状態に入るかを確定し、これにより、データ伝送が適切な状態下で完成され、データを送信する度に再び接続を開始する必要がなく、節約されたネットワークリソースがデータ伝送のために用いられ得るとともに、同じデータ伝送の完成に必要な時間を短縮することもできる。
【００１７】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００１８】
また、１つの実施方式について説明した及び／又は示した特徴は、同じ又は類似した方式で１つ又は複数の他の実施形態に用い、他の実施形態中の特徴と組み合わせ、又は、他の実施形態中の特徴を置換することもできる。
【００１９】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００２０】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面中の対応する部品を示し、複数の実施形態に用いる対応部品を示すためにも用いられる。
【図１】本発明の実施例における通信システムを示す図である。
【図２】本発明の実施例1におけるデータ送信方法を示す図である。
【図３】本発明の実施例1におけるデータ送信方法を示す他の図である。
【図４】本発明の実施例1におけるデータ送信方法を示す他の図である。
【図５】本発明の実施例1におけるデータ送信方法を示す他の図である。
【図６】本発明の実施例1におけるデータ送信方法を示す他の図である。
【図７】本発明の実施例1におけるデータパケットの一例を示す図である。
【図８】本発明の実施例2におけるデータ受信方法を示す図である。
【図９】本発明の実施例3におけるデータ送信装置を示す図である。
【図１０】本発明の実施例4におけるデータ受信装置を示す図である。
【図１１】本発明の実施例5におけるユーザ装置を示す図である。
【図１２】本発明の実施例5におけるネットワーク装置を示す図である。
【発明を実施するための形態】
【００２１】
添付した図面及び以下の説明を参照することにより、本発明の前述及び他の特徴が明らかになる。なお、明細書及び図面では、本発明の特定の実施形態を開示しているが、それは、本発明の原理を採用し得る一部のみの実施形態を示し、理解すべきは、本発明は、記載されている実施形態に限定されず、即ち、本発明は、添付した特許請求の範囲内での全ての変更、変形及び代替によるものも含むということである。
【００２２】
本発明の実施例では、用語“通信ネットワーク”又は“無線通信ネットワーク”は、次のような任意の通信規格に準ずるネットワークを指しても良く、例えば、LTE（LTE、Long  Term  Evolution）、LTE-A（LTE-Advanced）、WCDMA（登録商標）（Wideband  Code  Division  Multiple  Access）、HSPA（High-Speed  Packet  Access）などである。
【００２３】
また、通信システム中の装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２４】
本発明の実施例では、用語“ネットワーク装置”は、例えば、通信システム中の、端末装置を通信ネットワークに接続し、該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００２５】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語“基地局”は、それらの一部又は全ての機能を含んでも良く、各基地局は、特定の地理的領域に対して通信カバレッジを提供することができる。用語“セル”が指すのは、基地局及び／又はそのカバーする領域であっても良い、これは、該用語のコンテキストによるものである。
【００２６】
本発明の実施例では、用語“ユーザ装置”（UE、User  Equipment）又は“端末装置”（TE、Terminal  Equipment）は、例えば、ネットワーク装置により通信ネットワークにアクセスし、そして、ネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００２７】
そのうち、ユーザ装置は、次のようなものを含んでも良いが、それに限定されず、例えば、携帯電話（Cellular  Phone）、PDA（Personal  Digital  Assistant）、無線モデム、無線通信装置、携帯装置、マシン型通信装置、ラップトップコンピュータ、コードレス電話機、スマートフォン、スマートウォッチ、デジタルカメラなどである。
【００２８】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、機器型通信（MTC、Machine  Type  Communication）端末、車載通信端末、D2D（Device  to  Device）端末、M2M（Machine  to  Machine）端末などである。
【００２９】
以下、例を挙げて本発明の実施例のシナリオについて説明するが、本発明は、これに限定されない。
【００３０】
図1は、本発明の実施例における通信システムを示す図であり、ユーザ装置及びネットワーク装置を例とする場合を示している。図1に示すように、通信システム100は、ネットワーク装置101及びユーザ装置102（便宜のため、図1では、１つのみのユーザ装置を例として説明する）を含んでも良い。
【００３１】
本発明の実施例では、ネットワーク装置101とユーザ装置102との間は、従来のトラフィック又は将来実施可能なトラフィックを行うことができる。例えば、これらのトラフィックは、次のようなものを含んでも良いが、それに限定されず、即ち、eMBB（enhanced  Mobile  Broadband）、mMTC（massive  Machine  Type  Communication）、URLLC（Ultra-Reliable  and  Low-Latency  Communication）などである。
【００３２】
そのうち、ユーザ装置102は、ネットワーク装置101にデータを送信することができる。ネットワーク装置101は、１つの又は複数のユーザ装置102が送信したデータを受信し、そして、ユーザ装置102に情報（例えば、確認ACK／非確認NACK）をフィードバックすることができる。
【００３３】
以下、通信システム中のネットワーク装置をデータ受信端とし、ユーザ装置をデータ送信端とする場合を例として説明するが、本発明は、これに限定されず、送信端及び／又は受信端は、さらに、他の装置であっても良い。
【実施例１】
【００３４】
本発明の実施例は、データ送信方法を提供し、それは、データ送信装置側（例えば、ユーザ装置）に応用される。
【００３５】
図2は、本発明の実施例におけるデータ送信方法を示す図である。図2に示すように、前記データ送信方法は、以下のステップを含む。
【００３６】
ステップ201：ユーザ装置は、非アクティブ状態下で、ネットワーク装置の指示情報又は前記ネットワーク装置設定のパラメータに基づいて、非アクティブ状態を維持するか、それとも、アクティブ状態に入るかを確定し；及び
ステップ202：ユーザ装置は、非アクティブ状態下で、前記ネットワーク装置に、データ及び／又は前記アクティブ状態に入るためのリクエストメッセージを送信する。
【００３７】
本実施例では、アクティブ状態に入るためのリクエストメッセージは、例えば、RRCリクエストメッセージであっても良い。非アクティブ状態にあるユーザ装置は、RRCリクエストメッセージと一緒にデータを送信しても良く、又は、RRCリクエストメッセージをキャリー（carry）することなくデータを送信しても良い。
【００３８】
本実施例では、ユーザ装置は、非アクティブ状態下で、前記ネットワーク装置に、データ及び／又はRRCリクエストメッセージを送信するときに、さらに、前記データの総量又は剰余量を指示するためのデータ量情報を送信しても良い。例えば、ユーザ装置は、一回目にネットワーク装置にデータを送信するときに、データの総量（例えば、30bit）又は今回の伝送のデータ（例えば、10bit）を除いた後の剰余量（例えば、20bit）を一緒に送信しても良い。
【００３９】
また、該データ量情報は、数量値に限定されず、BSR（Buffer  State  Report）のような相対値であっても良い。例えば、“1”を用いて0〜20bitに対応し、“2”を用いて21〜40bitに対応し、この場合、ユーザ装置は、一回目にネットワーク装置にデータを送信するときに、“1”を、今回の伝送のデータを除いた後の剰余量が0〜20bitであることを示すように一緒に送信しても良い。
【００４０】
また、該データ量情報は、さらに、所定の閾値との相対的関係であっても良く、データ伝送の総量（又は剰余量）が該所定の閾値よりも小さい又は大きいことを示しても良い。例えば、所定の閾値が20bitであるとすれば、ユーザ装置は、一回目にネットワーク装置にデータを送信するときに、“小さい”を示す情報を、今回の伝送のデータを除いた後の剰余量が20bitよりも小さいことを示すために一緒に送信しても良い。
【００４１】
なお、以上、データ伝送時のデータ量情報を例示的に説明したが、本発明は、これに限定されない。以下、如何にデータ及び／又はリクエストメッセージを送信するか、及び、如何に非アクティブ状態を維持するか、それとも、アクティブ状態に入るかを確定するかについて説明する。
【００４２】
１つの実施方式では、ユーザ装置は、データを送信する必要があるときに、非アクティブ状態下で、前記ネットワーク装置に、前記データ及び前記アクティブ状態に入るためのリクエストメッセージを送信することができる。ネットワーク装置は、該ユーザ装置がアクティブ状態に入るかを決め、そして、該ユーザ装置に指示情報（例えば、RRC拒否メッセージ中にキャリーされる）を送信することができる。
【００４３】
図3は、本発明の実施例におけるデータ送信方法を示す他の図であり、ユーザ装置の角度から説明をする。図3に示すように、前記データ送信方法は、以下のステップを含む。
【００４４】
ステップ301：ユーザ装置は、データを送信する必要があり；
ステップ302：ユーザ装置は、非アクティブ状態下で、ネットワーク装置に、データ及びアクティブ状態に入るためのリクエストメッセージ（例えば、RRCリクエストメッセージ）を送信する。
【００４５】
本実施方式では、ネットワーク装置（例えば、gNB）は、ユーザ装置提供の情報（例えば、BSR（Buffer  State  Report）、データ量（サイズ）など）、ネットワークシステム中の使用可能なリソースなどに基づいて、ユーザ装置、アクティブ状態に進入させるかを決めることができる。
【００４６】
ネットワーク装置により、ユーザ装置が非アクティブ状態を維持してデータ伝送を行うように決定されれば、ネットワーク装置は、ユーザ装置にRRCレスポンスメッセージを送信し、ユーザ装置がRRC非アクティブ状態を維持するように指示することができる。該RRCレスポンスメッセージは、例えば、新しいメッセージを利用しても良く、又は、既存の拒否メッセージを再利用しても良い。
【００４７】
例えば、該指示情報は、既存のメッセージ（例えば、RRC拒否メッセージ、RRC接続再設定メッセージなど）中で新しく追加される情報エレメント（IE、Information  Element）に含まれても良く、MAC（Media  Access  Control）層の制御エレメント（CE、Control  Element）に含まれても良いが、本発明は、これに限定されない。
【００４８】
また、該RRCレスポンスメッセージは、さらに、幾つかの補助情報をキャリーしても良く、例えば、新しい拒否原因（理由）をキャリーして、該拒否メッセージが、ユーザ装置がRRC非アクティブ状態に留まることを指示するために用いられることを指示しても良い。そうでない場合、ネットワーク装置は、従来のRRC接続確立（establishment）（或いは再開（resume（回復）又は再設定）プロシージャを用いて、ユーザ装置にRRCアクティブ状態に進入させても良い。
【００４９】
ステップ303：ユーザ装置は、ネットワーク装置がリクエストメッセージに基づいて送信したレスポンスメッセージを受信し；
ステップ304：ユーザ装置は、前記レスポンスメッセージが、非アクティブ状態を維持することを指示しているかを確定し、「はい」の場合、ステップ305を実行し、「いいえ」の場合（即ち、アクティブ状態に入ることが指示されている場合）、ステップ306を実行し；
ステップ305：ユーザ装置は、非アクティブ状態下で、継続してネットワーク装置にデータを送信する。
【００５０】
本実施方式では、ユーザ装置は、RRC拒否メッセージ又は新しいメッセージを受信したときに、該データの伝送を終了しても良く、また、剰余の使用可能なデータがさらにある場合、その前のデータ伝送プロシージャを繰り返しても良く、即ち、ステップ302に記載の、非アクティブ状態下でネットワーク装置にデータ及びアクティブ状態に入るためのリクエストメッセージを送信するプロシージャを繰り返しても良い。
【００５１】
或いは、ユーザ装置は、さらに、予め設定される時間内でネットワーク装置にデータを送信し、及び／又は、予め設定される回数内でネットワーク装置にデータを送信しても良い。予め設定される時間及び／又は予め設定される回数を超えた場合、その前のデータ伝送プロシージャ、即ち、ステップ302に記載の、非アクティブ状態下でネットワーク装置にデータ及びアクティブ状態に入るためのリクエストメッセージを送信するプロシージャを繰り返しても良い。
【００５２】
例えば、RRC拒否メッセージが受信された時間T内で、ユーザ装置は、上りリンク（UL）データを、RRCメッセージをキャリーすることなく送信することができ、そのうち、Tの値は、ネットワーク装置によりブロードキャストされても良く、又は、RRC専用のメッセージ（例えば、RRC再設定メッセージ、RRC拒否メッセージなど）又は新しいメッセージにより通知されても良い。時間Tの後に、剰余の使用可能なデータがまだあれば、RRCメッセージをキャリーする必要があり、その後、ステップ302のプロシージャを繰り返す。
【００５３】
また、例えば、RRC拒否メッセージ受信後に、ユーザ装置は、最大でN回のULデータを、RRCメッセージをキャリーすることなく送信することでき、Nの値は、ネットワーク装置によりブロードキャストされても良く、又は、RRC専用のメッセージ（例えば、RRC再設定メッセージ、RRC拒否メッセージ）又は新しいメッセージを用いて通知されても良い。データをN回送信した後に、剰余の可用データが依然としてあれば、RRCメッセージをキャリーする必要があり、その後、ステップ302のプロシージャを繰り返す。
【００５４】
なお、以上、N及びTを例として説明したが、本発明は、これに限定されず、また、N及びTの任意の組み合わせの使用を排除しない。さらに、N及びTは、プロトコル又は規格中で予め規定されても良いが、本発明は、これに限定されない。
【００５５】
ステップ306：ユーザ装置は、アクティブ状態に進入し；
本実施方式では、ネットワーク装置により、ユーザ装置がアクティブ状態に入るように指示される場合、既存のRRC接続確立／再開（resume）／再設定プロシージャを使用して、ユーザ装置がRRCアクティブ状態に入るようにさせることができ、その具体的な内容は、関連技術を参照することができる。
【００５６】
なお、以上、図3をもとに本発明の実施例について例示的に説明したが、本発明は、これに限定されない。例えば、各ステップの間の実行順序を適切に調整しても良く、幾つかのステップを増減しても良い。また、当業者は、図3の記載に限られず、上述の内容に基づいて適切に変形を行っても良い。
【００５７】
図4は、本発明の実施例におけるデータ送信方法を示す他の図であり、ユーザ装置及びネットワーク装置の角度から説明を行う。図4に示すように、前記データ送信方法は、以下のステップを含む。
【００５８】
ステップ401：ユーザ装置は、データを送信する必要があり；
ステップ402：ユーザ装置は、非アクティブ状態下でネットワーク装置にデータ及びRRCリクエストメッセージを送信し；
ステップ403：ネットワーク装置は、該リクエストメッセージに基づいて、ユーザ装置がアクティブ状態に入るかを確定する。
【００５９】
本実施方式では、ネットワーク装置（例えば、gNB）は、ユーザ装置提供の情報（例えば、BSR）、ネットワークシステムにおける可用リソースなどに基づいて、ユーザ装置がアクティブ状態に入るようにさせるかを決定することができる。ネットワーク装置により、ユーザ装置がアクティブ状態に入るように確定されれば、既存のRRC接続確立／再開／再設定プロシージャを使用することができ、ネットワーク装置により、該ユーザ装置が非アクティブ状態を維持しながらデータ伝送を行うように決定されれば、ステップ404を実行することができる。
【００６０】
ステップ404：ネットワーク装置は、ユーザ装置にRRC拒否メッセージを送信することができる。
【００６１】
本実施方式では、ユーザ装置において、送信する必要のあるデータが依然としてある場合、ステップ405を実行しても良く；
ステップ405：ユーザ装置は、予め設定される時間T及び／又は回数N内で、ネットワーク装置にデータを送信し；
本実施方式では、時間T及び／又は回数N内でユーザ装置は、RRCリクエストメッセージを送信せず、データを送信することができ、また、時間T及び／又は回数Nを超えた場合、ユーザ装置内で送信する必要のあるデータが依然としてあれば、ステップ406を実行しても良く；
ステップ406：ユーザ装置は、非アクティブ状態下でネットワーク装置にデータ及びRRCリクエストメッセージを送信する。
【００６２】
なお、以上、図4を用いて本発明の実施例について例示的に説明したが、本発明は、これに限定されない。例えば、図4では、RRCリクエストメッセージ、RRC拒否メッセージを例として説明を行ったが、本発明は、これに限定されず、他のメッセージを使用しても良い。
【００６３】
もう１つの実施方式では、ユーザ装置は、データを送信する必要がある場合、非アクティブ状態下で前記ネットワーク装置に前記データを送信することができる（例えば、RRCリクエストメッセージを送信しない）。例えば、ネットワーク装置により、ユーザ装置がアクティブ状態に入るように明確に指示された場合にのみ、ユーザ装置は、非アクティブ状態下でネットワーク装置にデータ及びアクティブ状態に入るためのリクエストメッセージを送信する。
【００６４】
図5は、本発明の実施例におけるデータ送信方法を示す他の図であり、ユーザ装置及びネットワーク装置の角度から説明を行う。図5に示すように、該データ送信方法は、以下のステップを含む。
【００６５】
ステップ501：ユーザ装置は、データを送信する必要があり；
ステップ502：ユーザ装置は、非アクティブ状態下でネットワーク装置にデータを送信する。
【００６６】
本実施方式では、ユーザ装置は、上りリンクグラント又は予め設定される共通リソースに基づいて、上りリンクデータを、RRCメッセージをキャリーすることなく送信することができる。
【００６７】
ステップ503：ネットワーク装置は、ユーザ装置がアクティブ状態に入るかを確定する。
【００６８】
本実施方式では、ネットワーク装置は、該ユーザ装置がアクティブ状態に進入するかを決定することができる。例えば、ユーザ装置提供のBSR又はその他の同等の情報、ネットワークシステムにおける可用リソースなどに基づいて、ネットワーク装置は、ユーザ装置がアクティブ状態に入るようにさせるかを決定することができる。
【００６９】
例えば、ユーザ装置提供の情報は、指示情報を含んでも良く、それは、データ送信後の剰余データのサイズを指示するための情報であり、例えば、具体的なビット数であっても良く、予め定義されたレベル値であっても良く、又は、予め定義されたレベル値との関係（例えば、それによりも大きい又は小さい）であっても良いが、本発明は、これに限定されない。
【００７０】
本実施方式では、ネットワーク装置により、ユーザ装置がアクティブ状態に入るように確定されれば、ステップ504を実行することができ、ネットワーク装置により、ユーザ装置が継続して非アクティブ状態を維持するように確定されれば、ユーザ装置は、ステップ502に示すように、継続して非アクティブ状態で上りリンクデータを伝送することができる。
【００７１】
ステップ504：ネットワーク装置は、ユーザ装置に、アクティブ状態に入るための指示情報を送信し；
本実施方式では、ネットワーク装置により、該ユーザ装置がRRCアクティブ状態に入ってデータを伝送する必要があると決定されれば、該ユーザ装置に明示的な指示を送信して、該ユーザ装置に、RRCアクティブ状態に進入する必要があることを通知しても良い。該指示は、RRCメッセージ（例えば、既存のRRC接続確立／再開／再設定メッセージを再利用しても良い）であっても良く、又は、新しいメッセージを導入しても良く、或いは、新しい媒体アクセス制御（MAC、Media  Access  Control）制御エレメント（CE、Control  Element）を用いて、該ユーザ装置にアクティブ状態に進入させても良い。
【００７２】
例えば、該指示情報は、既存のメッセージ（例えば、RRC接続確立／再開／再設定メッセージなど）中で新しく追加されるIEに含まれても良く、又は、MAC  CEに含まれても良いが、本発明は、これに限定されない。
【００７３】
ステップ505：ユーザ装置は、非アクティブ状態下でネットワーク装置にデータ及びRRCリクエストメッセージを送信する。
【００７４】
本実施方式では、一旦ユーザ装置が該指示情報を受信したら、RRC接続確立／再開／再設定プロシージャを実行して、RRCアクティブ状態に進入することができる。
【００７５】
もう１つの実施方式では、ユーザ装置は、データ送信が必要な場合、非アクティブ状態下で前記ネットワーク装置に前記データを送信しても良い。例えば、所定の条件を満たした場合にのみ、ユーザ装置は、非アクティブ状態下でネットワーク装置にデータ及びアクティブ状態に入るためのリクエストメッセージを送信する。
【００７６】
図6は、本発明の実施例におけるデータ送信方法を示す他の図であり、ユーザ装置及びネットワーク装置の角度から説明を行う。図6に示すように、該データ送信方法は、以下のステップを含む。
【００７７】
ステップ601：ネットワーク装置は、予めユーザ装置のためにパラメータを設定する。
【００７８】
本実施方式では、ネットワーク装置は、ユーザ装置が決定を行うことを補助するために、事前に、ブロードキャスト又は専用のシグナリングの方式で、ユーザ装置のために幾つかのパラメータを設定しても良い。なお、本発明は、これに限定されず、例えば、これらのパラメータは、予めプロトコル又は規格に定義されても良い。
【００７９】
例えば、ネットワーク装置設定のパラメータは、次のようなもののうちの１つ又は複数を含んでも良く、即ち、可用データ量の閾値、データ伝送間隔時間の閾値、連続したデータパケット間の最小時間間隔、データパケットの個数であるが、本発明は、これに限定されず、他のパラメータをさらに含んでも良い。
【００８０】
図7は、本発明の実施例におけるデータパケットの一例を示す図である。図7に示すように、予期されるトラフィックモデルがサイズの異なるデータパケットを含んでも良く、且つデータパケット間の間隔の時間が変化したものであっても良い。よって、予め設定されるパラメータは、以下のものを含んでも良い
TINACTIVE：連続したデータパケット間の最小時間間隔；
NINACTIVE：データパケットの個数。
【００８１】
設定されたこれらのパラメータに基づいて、ユーザ装置は、自分で、RRCアクティブ状態に入るか、それとも、RRC非アクティブ状態に留まってデータ伝送を行うかを確定することができる。なお、以上のパラメータは、本発明の幾つかの具体例に過ぎず、本発明は、これに限定されない。
【００８２】
ステップ602：ユーザ装置は、データを送信する必要があり；
ステップ603：ユーザ装置は、非アクティブ状態下でネットワーク装置にデータを送信する。
【００８３】
本実施方式では、ユーザ装置は、上りリンクグラント又は予め設定される共通リソースに基づいて、上りリンクデータを、RRCメッセージをキャリーすることなく送信することができる。
【００８４】
ステップ604：ユーザ装置は、アクティブ状態に入るかを確定し；
本実施方式では、ユーザ装置は、ネットワーク装置設定のパラメータに基づいて、所定の条件が満足されるかを確定することができ、所定の条件が満足された場合、アクティブ状態に入る必要があると確定する。
【００８５】
例えば、ユーザ装置中で達した可用データ量が閾値（可用データ量の閾値）よりも大きい場合、ユーザ装置は、RRCアクティブ状態に入ってデータ伝送を行うと確定することができ、そうでない場合、ユーザ装置は、RRC非アクティブ状態でデータを送信する。
【００８６】
TINACTIVE及び／又はNINACTIVEが設定されている場合、それ相応にタイマーを起動し、カウンターをアクティブにすることができる。１回目のデータ伝送後にデータがまだある場合、タイマーが時間切れになれば、ユーザ装置は、RRC非アクティブ状態でデータ伝送を完成することができる。
【００８７】
タイマーが依然としてランニングしており、且つネットワーク装置がNINACTIVEを設定していない場合、ユーザ装置は、RRCアクティブ状態に入ってデータを伝送するのを決めることができる。そうでない場合、ネットワーク装置がNINACTIVEを設定しており、且つカウンターの値がNINACTIVEより小さければ、ユーザ装置は、RRC非アクティブ状態でデータ伝送を完成し、カウンターに1を加算することができ、カウンターの値がNINACTIVEに等しければ、ユーザ装置は、RRCアクティブ状態に入ってデータを伝送すると決定することができる。
【００８８】
また、例えば、ユーザ装置中で達した可用データ量が閾値（可用データ量の閾値）よりも大きい場合、ユーザ装置は、RRCアクティブ状態に入ってデータ伝送を行い、そうでない場合、ユーザ装置は、RRC非アクティブ状態でデータを送信する。
【００８９】
TINACTIVE及び／又はNINACTIVEが設定されている場合、それ相応にタイマーを起動し、カウンターをアクティブにする。１回目のデータ伝送後に依然としてデータがある場合、ユーザ装置は、カウンターの値との比較を行うことができる。カウンターの値がNINACTIVEよりも小さい場合、ユーザ装置は、RRC非アクティブ状態でデータ伝送を完成することができる。カウンターの値がNINACTIVEに等しく、且つタイマーTINACTIVEがオーバータイムになる場合、ユーザ装置は、RRC非アクティブ状態でデータ伝送を完成し、また、タイマーTINACTIVEを再起動することができ、タイマーTINACTIVEがオーバーライムになっていない場合、ユーザ装置は、RRCアクティブ状態に入ってデータ伝送を行うことができる。
【００９０】
なお、一旦、RRCアクティブ状態に入るプロシージャを開始したら、タイマー及びカウンターはともに非アクティブにされる。また、本発明は、上述の例に限定されず、例えば、上述の２つの例の中の組み合わせ形式以外の他の組み合わせ方式を排除しない。
【００９１】
本実施方式では、ユーザ装置側上りリンクデータ到達量を考慮するときに、データが一定の量に達したら（例えば、可用データ量の閾値を超えたら）計算を行っても良く、該一定の量の値は、例えば、メッセージ3のサイズにより制限される。また、所定の条件は、さらに、前回の上りリンクデータ伝送を行ってから時間Tを経過している（例えば、データ伝送間隔時間の閾値を超えている）ことを含んでも良い。Tの値は、ネットワーク装置により設定されても良く、又は、プロトコル又は規格に定義されても良く、Tのサイズは、例えば、既存のBSRの周期のサイズを参照することができる。
【００９２】
本実施方式では、ユーザ装置は、アクティブ状態に入ると確定すれば、ステップ605を実行することができる。
【００９３】
ステップ605：ユーザ装置は、非アクティブ状態下でネットワーク装置にデータ及びRRCリクエストメッセージを送信する。
【００９４】
本実施方式では、ユーザ装置は、一旦、アクティブ状態に入る必要があると確定したら、RRC接続確立／再開／再設定プロシージャを行ってRRCアクティブ状態に進入することができる。
【００９５】
なお、以上、本発明の実施例を例示的に説明したが、本発明は、これに限定されず、当業者は、上述の各実施方式の記載に限られず、上述の内容をもとに適切な変形を行っても良い。例えば、図4乃至図6では、各ステップ間の実行順序を適切に調整しても良く、幾つかのステップを増減しても良い。当業者は、上述の記載に限られず、上述の内容に基づいて適切に変形を行っても良い。
【００９６】
上述の実施例から分かるように、ユーザ装置は、非アクティブ状態下で、ネットワーク装置の指示又はネットワーク装置設定のパラメータに基づいて、非アクティブ状態を維持するか、それとも、アクティブ状態に入るかを確定することができる。これにより、データ伝送を適切な状態下で完成することができ、データを送信する度に再び接続を開始する必要がなく、節約されたネットワークリソースがデータ伝送のために用いられ得るとともに、同じデータ伝送の完成に必要な時間を短縮することもできる。
【実施例２】
【００９７】
本発明の実施例は、データ受信方法を提供し、それは、データ受信装置側（例えば、ネットワーク装置）に応用され、ここでは、実施例1と同じ内容が省略される。
【００９８】
図8は、本発明の実施例におけるデータ受信方法を示す図である。図8に示すように、該データ受信方法は、以下のステップを含む。
【００９９】
ステップ801：ネットワーク装置は、ユーザ装置に指示情報を送信し、又は、ユーザ装置のためにパラメータを設定し、前記ユーザ装置に、該指示情報又は該パラメータに基づいて、非アクティブ状態を維持するか、それとも、アクティブ状態に入るかを確定させ；
ステップ802：ネットワーク装置は、前記ユーザ装置により前記非アクティブ状態下で送信されたデータ及び／又は前記アクティブ状態に入るためのリクエストメッセージを受信する。
【０１００】
本実施例では、ユーザ装置は、非アクティブ状態下で前記ネットワーク装置にデータ及び／又はRRCリクエストメッセージを送信するときに、さらに前記データの総量又は剰余量を指示するためのデータ量情報を送信しても良い。ネットワーク装置は、さらに、データの総量又は剰余量を指示するためのデータ量情報を受信することができる。
【０１０１】
１つの実施方式では、ユーザ装置は、データを送信する必要があるときに、非アクティブ状態下で前記ネットワーク装置に前記データ及び前記アクティブ状態に入るためのリクエストメッセージを送信しても良い。ネットワーク装置は、さらに、前記リクエストメッセージに基づいて前記ユーザ装置にレスポンスメッセージを送信しても良く、前記レスポンスメッセージは、前記ユーザ装置が前記非アクティブ状態を維持するか、それとも、前記アクティブ状態に入るかを指示する。
【０１０２】
本実施方式では、ネットワーク装置は、さらに、前記レスポンスメッセージにより、前記ユーザ装置が前記非アクティブ状態を維持すると指示された場合、前記ユーザ装置により前記非アクティブ状態下で送信された前記データを受信することができる。
【０１０３】
そのうち、ネットワーク装置は、さらに、予め前記ユーザ装置のために、時間及び／又は回数を設定し、これにより、前記ユーザ装置が前記時間及び／又は前記回数内で前記データを送信し、また、予め設定される前記時間及び／又は回数を超えったときに前記データ及び前記アクティブ状態に入るためのリクエストメッセージを送信するようにさせることができる。
【０１０４】
もう１つの実施方式では、ユーザ装置は、データ送信が必要なときに、非アクティブ状態下で前記ネットワーク装置に前記データを送信しても良い。ネットワーク装置は、ユーザ装置提供の情報及び／又はネットワークシステムのリソースに基づいて、ユーザ装置がアクティブ状態に入るか、それとも、非アクティブ状態を維持するかを指示することができる。
【０１０５】
本実施方式では、ネットワーク装置により、ユーザ装置がアクティブ状態に入ると明確に指示される場合、ユーザ装置は、非アクティブ状態下でネットワーク装置にデータ及びアクティブ状態に入るためのリクエストメッセージを送信する。
【０１０６】
もう１つの実施方式では、ユーザ装置は、データ送信が必要な場合、非アクティブ状態下で前記ネットワーク装置に前記データを送信する。所定の条件が満足される場合、ユーザ装置は、非アクティブ状態下でネットワーク装置にデータ及びアクティブ状態に入るためのリクエストメッセージを送信する。
【０１０７】
本実施方式では、ネットワーク装置は、ユーザ装置のため予めパラメータを設定しても良い。前記パラメータは、次のようなもののうちの１つ又は複数を含んでも良く、即ち、可用データ量の閾値、データ伝送間隔時間の閾値、連続したデータパケット間の最小時間間隔、データパケットの個数であるが、本発明は、これに限定されない。
【０１０８】
上述の実施例より分かるように、ユーザ装置は、非アクティブ状態下で、ネットワーク装置の指示又はネットワーク装置設定のパラメータに基づいて、非アクティブ状態を維持するか、それとも、アクティブ状態に入るかを確定することができる。これにより、データ伝を適切な状態下で完成し、データを送信する度に再び接続を開始する必要がなく、節約されたネットワークリソースがデータ伝送のために用いられ得るとともに、同じデータ伝送の完成に必要な時間を短縮することもできる。
【実施例３】
【０１０９】
本発明の実施例は、データ送信装置を提供し、該データ送信装置は、例えば、ユーザ装置であっても良く、ユーザ装置に構成される１つ又は複数の部品又はアセンブリであっても良い。本実施例3では、実施例1と同じ内容が省略される。
【０１１０】
図9は、本発明の実施例におけるデータ送信装置を示す図である。図9に示すように、データ送信装置900は、以下のものを含む。
【０１１１】
確定ユニット（処理ユニットとも言う）901：それは、非アクティブ状態下でネットワーク装置の指示情報又は前記ネットワーク装置設定のパラメータに基づいて前記非アクティブ状態を維持するか、それとも、アクティブ状態に入るかを確定し；及び
送信ユニット902：それは、前記非アクティブ状態下で前記ネットワーク装置に、データ及び／又は前記アクティブ状態に入るためのリクエストメッセージを送信する。
【０１１２】
１つの実施方式では、送信ユニット902は、さらに、前記データを送信する必要がある場合、前記非アクティブ状態下で前記ネットワーク装置に前記データ及び前記アクティブ状態に入るためのリクエストメッセージを送信するために用いられる。
【０１１３】
本実施方式では、図9に示すように、データ送信装置900は、さらに、以下のものを含んでも良い。
【０１１４】
情報受信ユニット（受信ユニットとも言う）903：それは、前記ネットワーク装置が前記リクエストメッセージに基づいて送信した前記指示情報を受信する。そのうち、前記指示情報は、次のようなメッセージのうちの１つ又は複数により搬送されても良く、即ち、RRC拒否メッセージ、RRC接続再設定メッセージ、新しく定義されるメッセージ、MAC  CEであるが、本発明は、これに限定されない。
【０１１５】
送信ユニット902は、さらに、前記指示メッセージにより、前記非アクティブ状態が維持されると指示される場合、前記非アクティブ状態下で前記ネットワーク装置に前記データを送信するために用いられる。
【０１１６】
例えば、送信ユニット902は、予め設定される時間内で前記ネットワーク装置に前記データを送信し、及び／又は、予め設定される回数内で前記ネットワーク装置に前記データを送信しても良い。そのうち、前記予め設定される時間及び／又は前記予め設定される回数は、前記ネットワーク装置により設定される。
【０１１７】
送信ユニット902は、さらに、前記予め設定される時間及び／又は前記予め設定される回数を超えた場合、前記非アクティブ状態下で前記ネットワーク装置に前記データ及び前記アクティブ状態に入るためのリクエストメッセージを送信するために用いられる。
【０１１８】
本実施例では、送信ユニット902は、さらに、前記データの送信が必要な場合、前記非アクティブ状態下で前記ネットワーク装置に前記データを送信しても良い。
【０１１９】
もう１つの実施方式では、情報受信ユニット903は、さらに、前記ネットワーク装置がユーザ装置提供の情報及び／又はネットワークシステムのリソースに基づいて送信した前記指示情報を受信しても良く、そのうち、前記指示情報は、次のようなメッセージのうちの１つ又は複数によりキャリーされても良く、即ち、RRC接続確立メッセージ、RRC接続再開メッセージ、RRC接続再設定メッセージ、新しく定義されるメッセージ、MAC  CEであるが、本発明は、これに限定されない。
【０１２０】
確定ユニット901は、さらに、前記指示情報に基づいて、前記アクティブ状態に入るかを確定するために用いられても良く、送信ユニット902は、さらに、前記アクティブ状態に入ると確定された場合、前記非アクティブ状態下で前記ネットワーク装置に前記データ及び前記アクティブ状態に入るためのリクエストメッセージを送信するために用いられても良い。
【０１２１】
もう１つの実施方式では、図9に示すように、データ送信装置900は、さらに、以下のものを含んでも良い。
【０１２２】
パラメータ受信ユニット（受信ユニットとも言う）904：それは、前記ネットワーク装置設定のパラメータを受信し、そのうち、前記ネットワーク装置設定のパラメータは、次のようなもののうちの１つ又は複数を含んでも良く、即ち、可用データ量の閾値、データ伝送間隔時間の閾値、連続したデータパケット間の最小時間間隔、データパケットの個数であるが、本発明は、これに限定されない。
【０１２３】
確定ユニット901は、さらに、前記ネットワーク装置設定のパラメータに基づいて、所定の条件が満足されるかを確定するために用いられ、所定の条件が満足された場合、前記アクティブ状態に入る必要があると確定する。
【０１２４】
送信ユニット902は、さらに、前記アクティブ状態に入ると確定された場合、前記非アクティブ状態下で前記ネットワーク装置に前記データ及び前記アクティブ状態に入るためのリクエストメッセージを送信するために用いられる。
【０１２５】
なお、以上、本発明に関連する各部品又はモジュールについて説明したが、本発明は、これに限定されない。データ送信装置900は、さらに、他の部品又はモジュールを含んでも良く、このような部品又はモジュールの具体的な内容については、関連技術を参照することができる。
【０１２６】
上述の実施例から分かるように、ユーザ装置は、非アクティブ状態下で、ネットワーク装置の指示又はネットワーク装置設定のパラメータに基づいて、非アクティブ状態を維持するか、それとも、アクティブ状態に入るかを確定することができる。これにより、データ伝送を適切な状態下で完成することができ、データを送信する度に再び接続を開始する必要がなく、節約されたネットワークリソースがデータ伝送のために用いられ得るとともに、同じデータ伝送の完成に必要な時間を短縮することもできる。
【実施例４】
【０１２７】
本発明の実施例は、データ受信装置を提供し、該データ受信装置は、ネットワーク装置であっても良く、ネットワーク装置に構成される１つ又は複数の部品又はアセンブリであっても良い。本実施例4では、実施例1及び2と同じ内容が省略される。
【０１２８】
図10は、本発明の実施例におけるデータ受信装置を示す図である。図10に示すように、データ受信装置1000は、以下のものを含む。
【０１２９】
設定ユニット（送信ユニットとも言う）1001：それは、ユーザ装置に指示情報を送信し、又は、ユーザ装置のためにパラメータを設定し、前記ユーザ装置に、前記指示又は前記パラメータに基づいて、非アクティブ状態を維持するか、それとも、アクティブ状態に入るかを確定させ；
受信ユニット1002：それは、前記ユーザ装置により前記非アクティブ状態下で送信されたデータ及び／又は前記アクティブ状態に入るためのリクエストメッセージを受信する。
【０１３０】
１つの実施方式では、設定ユニット1001は、前記リクエストメッセージに基づいて、前記ユーザ装置に前記指示情報を送信しても良く、そのうち、前記指示情報は、次のようなメッセージのうちの１つ又は複数により搬送されても良く、即ち、RRC拒否メッセージ、RRC接続再設定メッセージ、新しく定義されるメッセージ、MAC  CEであるが、本発明は、これに限定されない。
【０１３１】
例えば、前記指示情報は、前記RRC拒否メッセージ又はRRC接続再設定メッセージ中に新しく追加されるIEに含まれても良い。前記指示情報は、さらに、前記非アクティブ状態を維持するか、それとも、アクティブ状態に入るかの補助情報、例えば、拒否原因を含んでも良い。
【０１３２】
前記受信ユニット1002は、さらに、前記指示情報により、前記ユーザ装置が前記非アクティブ状態を維持すると指示される場合、前記ユーザ装置により前記非アクティブ状態下で送信された前記データを受信するために用いられる。
【０１３３】
そのうち、前記設定ユニット1001は、さらに、予め前記ユーザ装置のために時間及び／又は回数を設定するために用いられても良く、これにより、前記ユーザ装置は、前記時間及び／又は前記回数内で前記データを送信し、前記時間及び／又は回数を超えた場合、前記データ及び前記アクティブ状態に入るためのリクエストメッセージを送信することができる。
【０１３４】
もう１つの実施方式では、前記設定ユニット1001は、前記ユーザ装置提供の情報及び／又はネットワークシステムのリソースに基づいて前記指示情報を送信することができる。そのうち、前記指示情報は、次のようなメッセージのうちの１つ又は複数によりキャリーされても良く、即ち、RRC接続確立メッセージ、RRC接続再開メッセージ、RRC接続再設定メッセージ、新しく定義されるメッセージ、MAC  CEであるが、本発明は、これに限定されない。
【０１３５】
例えば、前記指示情報は、前記RRC接続確立メッセージ、RRC接続再開メッセージ又はRRC接続再設定メッセージ中で新しく追加されるIEに含まれても良い。
【０１３６】
もう１つの実施方式では、設定ユニット1001は、ユーザ装置のために、予めパラメータを設定しても良く、ユーザ装置は、設定されたパラメータに基づいて、非アクティブ状態を維持するか、それとも、アクティブ状態に入るかを確定することができる。前記パラメータは、次のようなもののうちの１つ又は複数を含んでも良く、即ち、可用データ量の閾値、データ伝送間隔時間の閾値、連続したデータパケット間の最小時間間隔、データパケットの個数であるが、本発明は、これに限定されない。
【０１３７】
なお、以上、本発明に関連する各部品又はモジュールについて説明したが、本発明は、これに限定されない。データ受信装置1000は、さらに、他の部品又はモジュールを含んでも良く、このような部品又はモジュールの具体的な内容については、関連技術を参照することができる。
【０１３８】
上述の実施例より分かるように、ユーザ装置は、非アクティブ状態下で、ネットワーク装置の指示又はネットワーク装置設定のパラメータに基づいて、非アクティブ状態を維持するか、それとも、アクティブ状態に入るかを確定することができる。これにより、データ伝送を適切な状態下で完成することができ、データを送信する度に再び接続を開始する必要がなく、節約されたネットワークリソースをデータ伝送のために用いることができるとともに、同じデータ伝送の完成に必要な時間を短縮することもできる。
【実施例５】
【０１３９】
本発明の実施例は、さらに、通信システムを提供し、本実施例では、図1を参照することができるため、実施例1乃至4と同じ内容が省略される。本実施例における通信システム100は、以下のものを含む。
【０１４０】
ユーザ装置102：それには、実施例3に記載のようなデータ送信装置900が構成されている。
【０１４１】
ネットワーク装置101：それには、実施例4に記載のようなデータ受信装置1000が構成されている。
【０１４２】
本発明の実施例は、さらに、ユーザ装置が提供されるが、本発明は、これに限定されず、他の装置であっても良い。
【０１４３】
図11は、本発明の実施例におけるユーザ装置を示す図である。図11に示すように、該ユーザ装置1100は、処理器1110及び記憶器1120を含んでも良く、記憶器1120は、データ及びプログラムを記憶し、また、処理器1110に接続される。なお、該図は、一例に過ぎず、該結構に対して他の類型の構造を以て補充又は代替を行うことで、電気通信機能又は他の機能を実現することもできる。
【０１４４】
そのうち、処理器1110は、データ送信装置900の機能を実現するように構成されても良い。例えば、処理器1110は、次のような制御を行うように構成されても良く、即ち、非アクティブ状態下でネットワーク装置の指示情報又は前記ネットワーク装置設定のパラメータに基づいて前記非アクティブ状態を維持するか、それとも、アクティブ状態に入るかを確定し；及び前記非アクティブ状態下で前記ネットワーク装置に、データ及び／又は前記アクティブ状態に入るためのリクエストメッセージを送信する。
【０１４５】
図11に示すように、該ユーザ装置1100は、さらに、通信モジュール1130、入力ユニット1140、表示器1150、電源1160を含んでも良い。そのうち、これらの部品の機能は、従来技術に類似しているため、ここでは、その説明を割愛する。なお、ユーザ装置1100は、図11に示す全て部品を含む必要がなく、また、上述の部品も必須でない。また、ユーザ装置1100は、さらに、図11に無い部品を含んでも良く、これについては、従来技術を参照することができる。
【０１４６】
本発明の実施例は、さらに、ネットワーク装置を提供し、それは、例えば、基地局であるが、本発明は、これに限定されず、他のネットワーク装置であっても良い。
【０１４７】
図12は、本発明の実施例におけるネットワーク装置の構成図である。図12に示すように、ネットワーク装置1200は、処理器1210（例えば、中央処理装置CPU）及び記憶器1220を有しても良く、記憶器1220は、処理器1210に接続される。そのうち、該記憶器1220は、各種のデータを格納することができ、また、さらに情報処理用のプログラム1230を記憶し、且つ処理器1210の制御下で該プログラム1230を実行することもできる。
【０１４８】
そのうち、処理器1210は、データ受信装置1000の機能を実現するように構成されても良い。例えば、処理器1210は、プログラム1230を実行して次のような制御を行うように構成されても良く、即ち、ユーザ装置に指示情報を送信し、又は、ユーザ装置のためにパラメータを設定し、前記ユーザ装置に、前記指示情報又は前記パラメータに基づいて、非アクティブ状態を維持するか、それとも、アクティブ状態に入るかを確定させ；及び前記ユーザ装置により前記非アクティブ状態下で送信されたデータ及び／又は前記アクティブ状態に入るためのリクエストメッセージを受信する。
【０１４９】
また、図12に示すように、ネットワーク装置1200は、さらに、送受信機1240及びアンテナ1250などを含んでも良い。そのうち、これらの部品の機能は、従来技術に類似しているため、ここでは、その説明を省略する。なお、ネットワーク装置1200は、図12中の全ての部品を含む必要がない。また、ネットワーク装置1200は、さらに、図12に無い部品を含んでも良く、これについては、従来技術を参照することができる。
【０１５０】
本発明の実施例は、さらに、コンピュータ可読プログラムを提供し、そのうち、送信端又はユーザ装置中で前記プログラムを実行するときに、前記プログラムは、前記送信端又はユーザ装置に、実施例1に記載のデータ送信方法を実行させる。
【０１５１】
本発明の実施例は、さらに、コンピュータ可読プログラムを記憶した記憶媒体が提供され、そのうち、前記コンピュータ可読プログラムは、送信端又はユーザ装置に、実施例1に記載のデータ送信方法を実行させる。
【０１５２】
本発明の実施例は、さらに、コンピュータ可読プログラムを提供し、そのうち、受信端又はネットワーク装置（例えば、基地局）中で前記プログラムを実行するときに、前記プログラムは、前記受信端又はネットワーク装置（例えば、基地局）に実施例2に記載のデータ受信方法を実行させる。
【０１５３】
本発明の実施例は、さらに、コンピュータ可読プログラムを記憶した記憶媒体が提供され、そのうち、前記コンピュータ可読プログラムは、受信端又はネットワーク装置（例えば、基地局）に実施例2に記載のデータ受信方法を実行させる。
【０１５４】
以上のユーザ装置及び方法は、ソフトウェア又はハードウェアにより実現されても良く、ハードウェアとソフトウェアとの組み合わせにより実現されても良い。本発明は、さらに、次のようなコンピュータ読み取り可能なプログラムに関し、即ち、該プログラムは、ロジック部品により実行されるときに、該ロジック部品に、上述のユーザ装置又は構造部品を実現させ、又は、該ロジック部品に、上述の各種の方法又はステップを実現させる。ロジック部品は、例えば、FPGA（Field  Programmable  Gate  Array）、マイクロプロセッサ、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１５５】
また、図面に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用の集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【０１５６】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2019536358.tif 000003
【図２】
2019536358.tif 000004
【図３】
2019536358.tif 000005
【図４】
2019536358.tif 000006
【図５】
2019536358.tif 000007
【図６】
2019536358.tif 000008
【図７】
2019536358.tif 000009
【図８】
2019536358.tif 000010
【図９】
2019536358.tif 000011
【図１０】
2019536358.tif 000012
【図１１】
2019536358.tif 000013
【図１２】
2019536358.tif 000014
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
データ送信装置であって、
RRC接続状態とは異なるRRC状態で、ネットワーク装置の指示情報又は前記ネットワーク装置により設定されるパラメータに基づいて、前記RRC接続状態とは異なるRRC状態を維持するか、それとも、アクティブ状態に入るかを確定するための処理ユニット；及び
前記RRC接続状態とは異なるRRC状態で、前記ネットワーク装置に、データ及び／又は前記アクティブ状態に入るためのリクエストメッセージを送信するための送信ユニットを含む、データ送信装置。
【請求項２】
請求項1に記載のデータ送信装置であって、
前記送信ユニットは、さらに、前記処理ユニットにより、前記RRC接続状態とは異なるRRC状態を維持するか、それとも、前記アクティブ状態に入るかが確定される前に、前記データを送信する必要がある場合、前記RRC接続状態とは異なるRRC状態で前記ネットワーク装置に前記データ及び前記アクティブ状態に入るためのリクエストメッセージを送信する、データ送信装置。
【請求項３】
請求項2に記載のデータ送信装置であって、
前記ネットワーク装置が前記リクエストメッセージに基づいて送信した前記指示情報を受信するための受信ユニットをさらに含み、
前記指示情報は、無線リソース制御拒否メッセージ、無線リソース制御接続再設定メッセージ、新しく定義されるメッセージ、及び媒体アクセス制御層の制御エレメントのうちの1つ又は複数によりキャリーされる、データ送信装置。
【請求項４】
請求項3に記載のデータ送信装置であって、
前記処理ユニットは、さらに、前記指示情報に基づいて、前記RRC接続状態とは異なるRRC状態を維持することを確定し、前記送信ユニットは、さらに、前記RRC接続状態とは異なるRRC状態で前記ネットワーク装置に前記データを送信する、データ送信装置。
【請求項５】
請求項4に記載のデータ送信装置であって、
前記送信ユニットは、予め設定される時間及び／又は回数内で前記ネットワーク装置に前記データを送信し、前記アクティブ状態に入るためのリクエストメッセージを送信せず；及び
予め設定される前記時間及び／又は前記回数を超えた場合、前記RRC接続状態とは異なるRRC状態で前記ネットワーク装置に前記データ及び前記アクティブ状態に入るためのリクエストメッセージを送信する、データ送信装置。
【請求項６】
請求項5に記載のデータ送信装置であって、
予め設定される前記時間及び／又は前記回数は、前記ネットワーク装置により設定され、或いは、プロトコル又は規格中で予め規定される、データ送信装置。
【請求項７】
請求項1に記載のデータ送信装置であって、
前記送信ユニットは、さらに、前記処理ユニットにより、前記RRC接続状態とは異なるRRC状態を維持するか、それとも、前記アクティブ状態に入るかが確定される前に、前記データを送信する必要がある場合、前記RRC接続状態とは異なるRRC状態で前記ネットワーク装置に前記データを送信する、データ送信装置。
【請求項８】
請求項7に記載のデータ送信装置であって、
前記ネットワーク装置がユーザ装置により提供される情報及び／又はネットワークのリソースに基づいて送信した前記指示情報を受信するための受信ユニットをさらに含み、
前記指示情報は、無線リソース制御接続確立メッセージ、無線リソース制御接続再開メッセージ、無線リソース制御接続再設定メッセージ、新しく定義されるメッセージ、及び媒体アクセス制御層の制御エレメントのうちの１つ又は複数によりキャリーされる、データ送信装置。
【請求項９】
請求項8に記載のデータ送信装置であって、
前記処理ユニットは、さらに、前記指示情報に基づいて、前記アクティブ状態に入ることを確定し、前記送信ユニットは、さらに、前記アクティブ状態に入ると確定された場合、前記RRC接続状態とは異なるRRC状態で前記ネットワーク装置に前記データ及び前記アクティブ状態に入るためのリクエストメッセージを送信する、データ送信装置。
【請求項１０】
請求項7に記載のデータ送信装置であって、
前記ネットワーク装置により設定されるパラメータを受信するための受信ユニットをさらに含み、
前記ネットワーク装置により設定されるパラメータは、使用可能なデータ量の閾値、データ伝送間隔時間の閾値、連続したデータパケット間の最小時間間隔、及びデータパケットの個数のうちの1つ又は複数を含む、データ送信装置。
【請求項１１】
請求項10に記載のデータ送信装置であって、
前記処理ユニットは、さらに、前記ネットワーク装置により設定されるパラメータに基づいて、所定の条件が満足されるかを確定し、前記所定の条件が満足された場合、前記アクティブ状態に入る必要があると確定し、
前記送信ユニットは、さらに、前記アクティブ状態に入ると確定された場合、前記RRC接続状態とは異なるRRC状態で前記ネットワーク装置に前記データ及び前記アクティブ状態に入るためのリクエストメッセージを送信する、データ送信装置。
【請求項１２】
請求項1に記載のデータ送信装置であって、
前記送信ユニットは、さらに、前記RRC接続状態とは異なるRRC状態で前記ネットワーク装置に、前記データの総量又は剰余量を指示するためのデータ量情報を送信する、データ送信装置。
【請求項１３】
データ受信装置であって、
ユーザ装置に指示情報を送信し、又は、ユーザ装置のためにパラメータを設定し、前記ユーザ装置に、前記指示情報又は前記パラメータに基づいて、RRC接続状態とは異なるRRC状態を維持するか、それとも、アクティブ状態に入るかを確定させるための送信ユニット；及び
前記ユーザ装置により前記RRC接続状態とは異なるRRC状態下で送信されるデータ及び／又は前記アクティブ状態に入るためのリクエストメッセージを受信するための受信ユニットを含む、データ受信装置。
【請求項１４】
請求項13に記載のデータ受信装置であって、
前記送信ユニットは、さらに、前記リクエストメッセージに基づいて前記指示情報を送信し、
前記指示情報は、無線リソース制御拒否メッセージ、无線リソース制御接続再設定メッセージ、新しく定義されるメッセージ、及び媒体アクセス制御層の制御エレメントのうちの１つ又は複数によりキャリーされる、データ受信装置。
【請求項１５】
請求項14に記載のデータ受信装置であって、
前記指示情報は、前記無線リソース制御拒否メッセージ又は無線リソース制御接続再設定メッセージ中で新しく追加される情報エレメントに含まれ、
前記指示情報は、さらに、前記RRC接続状態とは異なるRRC状態を維持する、又は、アクティブ状態に入るための補助情報を含む、データ受信装置。
【請求項１６】
請求項14に記載のデータ受信装置であって、
前記受信ユニットは、さらに、前記指示情報により、前記ユーザ装置が前記RRC接続状態とは異なるRRC状態を維持すると指示された場合、前記ユーザ装置により前記RRC接続状態とは異なるRRC状態下で送信される前記データを受信する、データ受信装置。
【請求項１７】
請求項16に記載のデータ受信装置であって、
前記送信ユニットは、さらに、予め前記ユーザ装置のために時間及び／又は回数を設定し、前記ユーザ装置に、前記時間及び／又は前記回数内で前記データを送信させ、前記時間及び／又は前記回数を超えた場合、前記データ及び前記アクティブ状態に入るためのリクエストメッセージを送信させる、データ受信装置。
【請求項１８】
請求項13に記載のデータ受信装置であって、
前記送信ユニットは、前記ユーザ装置により提供される情報及び／又はネットワークのリソースに基づいて前記指示情報を送信し、
前記指示情報は、無線リソース制御接続確立メッセージ、無線リソース制御接続再開メッセージ、無線リソース制御接続再設定メッセージ、新しく定義されるメッセージ、及び媒体アクセス制御層の制御エレメントのうちの１つ又は複数によりキャリーされる、データ受信装置。
【請求項１９】
請求項13に記載のデータ受信装置であって、
前記パラメータは、使用可能なデータ量の閾値、データ伝送間隔時間の閾値、連続したデータパケット間の最小時間間隔、及びデータパケットの個数のうちの１つ又は複数を含む、データ受信装置。
【請求項２０】
通信システムであって、
RRC接続状態とは異なるRRC状態で、ネットワーク装置の指示情報又は前記ネットワーク装置により設定されるパラメータに基づいて、前記RRC接続状態とは異なるRRC状態を維持するか、それとも、アクティブ状態に入るかを確定し、また、前記RRC接続状態とは異なるRRC状態で、前記ネットワーク装置に、データ及び／又は前記アクティブ状態に入るためのリクエストメッセージを送信するユーザ装置；及び
前記ユーザ装置に指示情報を送信し、又は、前記ユーザ装置のためにパラメータを設定し、前記ユーザ装置に、前記指示情報又は前記パラメータに基づいて、RRC接続状態とは異なるRRC状態を維持するか、それとも、アクティブ状態に入るかを確定させ、また、前記ユーザ装置により前記RRC接続状態とは異なるRRC状態下で送信されるデータ及び／又は前記アクティブ状態に入るためのリクエストメッセージを受信するネットワーク装置を含む、通信システム。
【国際調査報告】
2019536358.tif 000015
2019536358.tif 000016
2019536358.tif 000017
2019536358.tif 000018